(57)【要約】【課題】特に、外出時どのような服装で出かけようかと考えるのは楽しみでもあり、迷い過ぎて時間がかかるのも悩みの一つである。これらを等身大の鏡もいらず、収納にも使える万能ハンガーを使用することで、容易で、いかにも自身がコーディネートした服装を実際に着込んでいるかのような姿を客観的な視野で見ることができるコーディネートハンガーを提供すること。【解決手段】コーディネートハンガー１は、ほぼ実物大の顔写真を取り付けることができる装着部としてプラスチック製取付プレート５や自身の顔が写るステンレスプレート７等を和、洋服掛け（ハンガー）の上部中央に１〜複数個付設したもの。【選択図】          図２
2004321200.tif 000002
【特許請求の範囲】
【請求項１】
和、洋服掛け（ハンガー）と、前記和、洋服掛け（ハンガー）の上部中央に、ほぼ実物大顔写真の装着部を設けたことを特徴とするコーディネートハンガー。
【請求項２】
和、洋服掛け（ハンガー）と、前記和、洋服掛け（ハンガー）の上部中央にほぼ実物大顔写真の装着部を設け、不使用時には前記装着部を使用位置の下側に収納できるように構成したことを特徴とする請求項１に記載のコーディネートハンガー。
【請求項３】
和、洋服掛け（ハンガー）と、前記和、洋服掛け（ハンガー）の上部中央に、着脱自在の鏡や鏡面仕上げされた金属プレート、または、デジタルカメラ付きパソコン用モニターを装着した構造を持つことを特徴とするコーディネートハンガー。
【請求項４】
和、洋服掛け（ハンガー）と、前記和、洋服掛け（ハンガー）の上部中央に、着脱自在に取り付けられるほぼ実物大顔写真装着器との組合せにより構成されたことを特徴とするコーディネートハンガー。
【請求項５】
和、洋服掛け（ハンガー）の上部中央に着脱自在に取り付けて、ほぼ実物大の顔写真を装着して使用することを特徴とするコーディネートハンガーとしての顔写真装着器。
【請求項６】
和、洋服掛け（ハンガー）の上部中央に設けられたほぼ実物大顔写真の装着部や着脱自在の鏡や鏡面仕上げされた金属プレート、及び、着脱自在に取り付けられるほぼ実物大顔写真装着器の形状は、顔相当部分と、前記顔相当部分より少々細めの首相当部分から構成されたことを特徴とする請求項１、請求項３、請求項４、請求項５に記載のコーディネートハンガーと顔写真装着器。
【請求項７】
和、洋服掛け（ハンガー）の上部中央に設けられたほぼ実物大顔写真の装着部、及び、着脱自在に取り付けられるほぼ実物大顔写真装着器の形状を凸状に湾曲させることで、装着したほぼ実物大の顔写真を立体的に表現せしめるように構成されたことを特徴とする請求項１、請求項４、請求項５に記載のコーディネートハンガーと顔写真装着器。
【発明の詳細な説明】
【０００１】
【発明が属する技術分野】
本発明は、和、洋服掛け（ハンガー）の上部中央に、昨今パソコンで容易に印刷することができるほぼ実物大の、自身の顔写真を取り付ける取付プレートなる装着部を設け、よりリアルにして客観的な視野で、和、洋服の組合せ（コーディネート）をすることができうる新規なコーディネートハンガーと顔写真装着器の技術分野に属するものである。
【０００２】
【従来の技術】
等身大が写る鏡の前に立ち、ハンガーに掛かったままの服やスカート等を自身の身体の前に当て掛けてコーディネートする方法や、パソコンの服装コーディネートソフトによって、前もって記憶させておいたデーターによってコーディネートする方法がある。
【０００３】
しかし、上記前者においては正しい姿勢で正確に当て掛けることも難しく、また、上記後者においてもパソコンのモニター内に小さく表示される姿等、客観的な視野で見るリアルさに欠ける点に加え、大層で面倒な作業をしなくてはならない欠点もある。
【０００４】
【発明が解決しようとする課題】
本発明は、上記の問題を解決するものであって、容易で、いかにも自身がコーディネートした服装を実際に着込んでいるかのような姿を客観的な視野で見ることができるコーディネートハンガーを提供することを目的としている。
【０００５】
【課題を解決するための手段】
上記の目的を達成するための本発明のコーディネートハンガーは、ほぼ実物大の顔写真を取り付けることができるプラスチックプレートや自身の顔が写るステンレスプレート等を和、洋服掛け（ハンガー）の上部中央に１〜複数個付設したものである。
【０００６】
上記のように構成された本発明のコーディネートハンガーは、一度に複数本のコーディネートハンガーを使用することで複数のコーディネートされた服装を一度に見ることができ、容易にして短時間で、好みのコーディネートされた服装を選択することができる。又、１枚の前記プレートで裏表２枚の異なった写りの写真を取り付けることができる。例えば和服用、洋服用の髪型で写した好みの写真等である。更に、複数枚の前記プレートなればその倍の異なった写真を取り付けることができる。
【０００７】
【発明の実施の形態】
通常、和、洋服を掛けて収納を目的としているハンガーの上部中央に、ほぼ実物大の自身の顔写真を取り付ることができるプラスチックや金属材料等のプレートを１〜複数個設ける。
【０００８】
【実施例】
図１、図２は、本発明の第１実施例の図であって、スカートやスラックス等長さ調整付吊り下げ紐３が付設された木、又は、プラスチック等の材料から形成した従来型のハンガー２の上部中央に、センターピン４を軸に上下反転する顔写真を取り付けることができる木やプラスチック、又は、金属の材料から形成された取付プレート５を設けたものである。本発明を構成するハンガー２と顔写真取付プレート５のサイズは、従来型のハンガー２については男子用、女子用、子供用に分類され肩幅を基準として決められており、ほぼ実物大の顔写真を取り付ける取付プレート５のサイズについても男子、女子、子供の顔を基準としてそれよりも若干小さく設定する。なお、図１−１はコーディネートハンガーとして使用している時の図（吊り下げフック６Ａ）、図１−２は、従来のハンガーとしての使用図（吊り下げフック６Ｂ）である。
【０００９】
図３は、本発明の第２実施例の図であって、従来型のハンガー２の上部中央に、着脱自在用引っ掛けフック８付きの鏡、又は、鏡面仕上げされたステンレス薄板等の金属で形成されたプレート７を設けたもので、自身の顔を映すことで現時点のメーキャップ、髪型等にコーディネートできる。
【００１０】
図４は、本発明の第３実施例の図であって、従来型のハンガー２の上部中央に、デジタルカメラ１０付きパソコン用小型液晶モニター９を取り付けることでリアルタイムの顔写真を映すことができる。今風ＩＴ仕様。
【００１１】
図５は、本発明の第４実施例の図であって、ほぼ実物大顔写真をクリップ１２や押しピン、接着テープ等で装着できる木、又は、プラスチック等の材料から形成した顔写真装着器１１は、形状、寸法等の異なる既製のハンガー２を着脱自在、及び、適切な位置に取付調整ができる鎖１３や紐等を顔写真装着器１１の背面に顔写真装着器フック１４の下部に設けたものである。なお、顔写真装着器１１の形状は、顔相当部分１１Ａより少々細めの首相当部分１１Ｂからなり、既製のハンガー２の上部中央位置に納まるように形成する。寸法は、Ａ４サイズ紙の顔写真が装着可能寸法、即ち、縦３０センチメートル、横２０センチメートル、成人のほぼ平均顔寸法であり、ほぼ実物大顔写真の作成においても一番普及しているパソコン用プリンターサイズでもある。又、図５−５に示すように顔写真装着器１１を凸状の湾曲面１１Ｃに形成することで装着した顔写真が立体的に表現されることになる。
【００１２】
図６は、本発明の第５実施例の図であって、第４実施例に準ずるもので、顔写真装着器１１はカードケース用の薄いプラスチックプレート１５を２枚合わせたもの、又は、１枚を折り返したもので、取付パイプ１６の両端に差し込み半固定の状態に取り付けられている。カードケース同様複数枚の写りの異なった顔写真を挟み込むことができる。又、図６−３、及び、図６−４に示すように顔写真装着器１１の背面に取り付けられている張りチェーン１７や紐、ゴム紐等によって顔写真装着器１１を凸状の湾曲面１１Ｃに形成することで装着した顔写真が立体的に表現されることになる。
【００１３】
図７は、本発明の第６実施例の図であって、第５実施例に準ずるもので、顔写真装着器１１はカードケース用の薄いプラスチックプレート１５を２枚合わせたもの、又は、１枚を折り返したもので、顔写真装着器１１の背面に前倒れ防止フック通し１８を設け、既製のハンガー２のフック１９を通すことによって半固定の状態に取り付けられる。
【００１４】
図８は、本発明の第７実施例の図であって、顔写真装着器１１を軟質プラスチックやゴム等の材料で風船状にすることにより、平面な顔写真を立体的に取り付けるだけではなく顔全体をより立体化することで真に迫ったコーディネートが可能となる。なお、顔写真装着器１１の背面に前倒れ防止フック通し１８を設け、既製のハンガー２のフック１９を通すことによって半固定の状態に取り付けられる。
【００１５】
【発明の効果】
以上のように構成されたコーディネートハンガーと顔写真装着器は、次のような効果を奏する。
【００１６】
請求項１は、いかにも自身がコーディネートした服装を実際に着込んでいるかのようなリアルな姿を客観的な視野で見ることができ、更に、複数本のコーディネートハンガーを使用することで複数のコーディネートされた服装を一度に見ることができ、容易にして短時間で好みのコーディネートされた服装を選択することができる。又、別用途としてタレントや歌手の売りこみ宣伝用やキャラクター絵などを雑誌から切り抜いたものを貼り、子供用としての遊びグッズとしても利用できる。
【００１７】
請求項２は、コーディネートハンガーとして使用しないとき、ほぼ実物大顔写真の装着部を使用位置の下側に収納できることでタンス等に収納する際従来のハンガーと同様に扱える。
【００１８】
請求項３は、鏡や鏡面仕上げされた金属プレート、または、デジタルカメラ付きパソコン用モニターを採用することで、顔写真を用意することなくリアルタイムな姿を客観的な視野で見ることができる。このことから、洋装店の着飾れたマネキン人形の顔が直接来客の顔になることでより一層の判断材料として販売促進にも繋がる。
【００１９】
請求項４、請求項５、請求項６は、上着用ハンガーやスカート、スラックス用ハンガーからなる既製ハンガーと、着脱自在に取り付けられるほぼ実物大顔写真装着器との取り合わせにより、より簡易的であり細部にわたる既製ハンガーと顔写真装着器との組合せ調整ができる。
【００２０】
請求項７は、一般的に顔写真を立体写真撮影するには高度な技術と時間が必要であるが、平面顔写真を凸状の湾曲にすることで簡易立体写真となり、より一層自身が着込んでいるかのように表現することができる。
【図面の簡単な説明】
【図１】本発明を適用したコーディネートハンガーの第１実施例の使用状況を説明する全体図である。
【図２】本発明を適用したコーディネートハンガーの第１実施例を説明する本体断面図である。
【図３】本発明を適用したコーディネートハンガーの第２実施例を説明する正面図、及び斜視図である。
【図４】本発明を適用したコーディネートハンガーと顔写真装着器の第３実施例を説明する正面図である。
【図５】本発明を適用したコーディネートハンガーと顔写真装着器の第４実施例を説明する斜視図、及び正面図である。
【図６】本発明を適用したコーディネートハンガーと顔写真装着器の第５実施例を説明する斜視図、及び一部断面図である。
【図７】本発明を適用したコーディネートハンガーと顔写真装着器の第６実施例を説明する斜視図である。
【図８】本発明を適用したコーディネートハンガーと顔写真装着器の第７実施例を説明する斜視図である。
【符号の説明】
１    コーディネートハンガー
２    ハンガー
３    調整付吊り下げ紐
４    センターピン
５    取付プレート
６    吊り下げフック
７    金属プレート
８    引っ掛けフック
９    モニター
１０    デジタルカメラ
１１    顔写真装着器
１１Ａ  顔相当部分
１１Ｂ  首相当部分
１１Ｃ  凸状の湾曲面
１２    クリップ
１３    鎖
１４    顔写真装着器フック
１５    プラスチックプレート
１６    取付パイプ
１７    張りチェーン
１８    フック通し
１９    ハンガーフック
【図１】
2004321200.tif 000003
【図２】
2004321200.tif 000004
【図３】
2004321200.tif 000005
【図４】
2004321200.tif 000006
【図５】
2004321200.tif 000007
【図６】
2004321200.tif 000008
【図７】
2004321200.tif 000009
【図８】
2004321200.tif 000010